(57)【要約】【課題】  写真やスケッチなどの展示に適したシンプルな外観で、絵柄や色調などに調和する外観に調整できる額縁及び額縁の裏板を提供する。【解決手段】  透明樹脂により半殻体に成形した額装体１１は、その正面外縁に膨出部１１ｂが形成され、膨出部１１ｂの内面及び額装体１１の側面に沿ってフレーム１２が着脱交換可能に装着される。このフレーム１２やマット台紙の色や柄を展示物の絵柄や色調などにマッチするものに交換することにより、写真やスケッチなどをより見栄えよく展示することができる。額装体１１はシンプル構造であり収容した展示物を汚れや劣化から保護し、この額装体１１に複数種類のフレーム１２やマット台紙を添付した商品販売形態とすることにより、ユーザは展示物に対応するアレンジを自由に実施することができる。【選択図】  図５
2008167885.tif 000002
【特許請求の範囲】
【請求項１】
少なくとも正面部を透明樹脂面として背面開放の函状に形成された額装体と、この額装体内に収容した展示物を含む収容物を前記正面部側に押圧して収容物の厚さに対応する任意深さ位置で額装体内に固定される裏板とを備えてなることを特徴とする額縁。
【請求項２】
少なくとも正面部を透明樹脂面として背面開放の函状に形成された額装体と、この額装体のサイズ毎に用意された複数種類の枠体と、選択された１種類の枠体を額装体の周縁部外側に着脱交換可能に装着する連結手段と、額装体内に収容した展示物を含む収容物を前記正面部側に押圧して収容物の厚さに対応する任意深さ位置で額装体内に固定される裏板とを備えてなることを特徴とする額縁。
【請求項３】
枠体は複数分割され、額装体に装着されることにより端部で互いに衝き合わせ連結されるように構成されてなる請求項２に記載の額縁。
【請求項４】
連結手段は、枠体を額装体に連結する額装体連結手段と、複数分割された枠体をそれぞれの端部間の衝き合わせ部分を連結する枠体間連結手段とを備えてなる請求項２又は３に記載の額縁。
【請求項５】
少なくとも正面部を透明樹脂面として背面開放の函状に形成された額装体と、この額装体の周縁部内側に沿うように着脱交換可能に装着される複数種類の枠体と、額装体内に収容した展示物を含む収容物を前記正面部側に押圧して収容物の厚さに対応する任意深さ位置で額装体内に固定される裏板とを備えてなることを特徴とする額縁。
【請求項６】
額装体正面部の周縁に正面側に膨出するように任意断面形状の膨出部が形成され、少なくとも膨出部の内側に沿うように枠体が着脱交換可能に装着されてなる請求項５に記載の額縁。
【請求項７】
１つの額装体及び裏板と、複数種類の枠体とを１セットとする販売形態に構成されてなる請求項２〜６いずれか一項に記載の額縁。
【請求項８】
額装体は、正面部及び側面部が透明樹脂により一体形成されてなる請求項１，２，５，６いずれか一項に記載の額縁。
【請求項９】
裏板に、展示物をその背面から光照射する透過照明手段が設けられてなる請求項１，２，５いずれか一項に記載の額縁。
【請求項１０】
展示物を収容する額装体内の背面開放部を閉じる額縁の裏板であって、前記背面開放部から額装体内に挿入され、縁部複数位置に設けた係止体を額装体の内周部に係止させて額装体内の任意深さ位置に固定することを特徴とする額縁の裏板。
【請求項１１】
係止体の先端部を裏板の縁部より外側に進出させ、進出位置から後退させる進退移動手段が設けられてなる請求項１０に記載の額縁の裏板。
【請求項１２】
額装体内に嵌り合う半殻体に形成されてなる請求項１０又は１１に記載の額縁の裏板。
【発明の詳細な説明】
【技術分野】
【０００１】
本発明は、写真、書画、ポスターなどシート状の展示物をその絵柄や色調にマッチするように額装することができる額縁と、額縁に収容した展示物の平面性を保って保持することができるようにした額縁の裏板に関するものである。
【背景技術】
【０００２】
カメラのデジタル化の進展は、銀塩フィルムを用いた写真におけるＤＰＥの手順をふむことなく、プリンタによって自由なサイズに引き延ばした写真を簡単に手にすることができるようになった。大きく引き伸ばした写真は、それを額縁に入れて展示すると、写真をより引き立てることができる。写真だけでなく書画や印刷物などを額装するとき、それら展示物がより引き立つように額装できなければ意味がない。展示物を引き立て、飾る場所にマッチさせるには、額縁の枠体であるフレームの色や形状、マット台紙の色や幅などを最適に選択する必要があるが、一般販売されている額縁はフレームやマット台紙の色や形状が決められているので、実際に展示物を収容してみないとマッチするか否かは分からない。現状では展示物と額縁とをマッチさせるためには何組もの額縁やマット台紙を用意する必要がある。
【０００３】
マット台紙の交換は可能なので、額縁のフレームを取り替えることができれば、１つの額縁を用いて展示物にマッチするように調整することができる。しかし、従来の額縁はフレームが展示物を収容する容器を構成しているので、フレームを着脱交換可能に構成することは困難である。そこで、フレームの表面に着脱可能な装飾部材を設け、この装飾部材を交換することによりフレームの意匠を変更可能としたものが知られている。例えば、額縁の周囲枠に周溝を形成し、この周溝に分割縁材を磁気吸着によって着脱交換可能に装着するもの（特許文献１参照）、額縁のフレームにシート保持用凹部を設け、このシート保持用凹部に弾性着色シートを着脱交換可能に装着するもの（特許文献２参照）、一体形成した額縁枠体の表面に飾り板を嵌合させるもの（特許文献３参照）などが提案されている。
【０００４】
上記従来技術はフレームの表面意匠を変更可能にしたものであるが、フレーム自体を着脱できるようにしたものは組立額縁として従来から周知のところである。例えば、展示物を載置する盤の周囲複数箇所にマグネットを設け、ステンレスプレートを取り付けた枠材を磁気吸着することにより、盤上の展示物はその周囲が枠材で保持されると同時に額縁に形成されるものが提案されており、枠材は交換可能とは開示されていないが、磁気吸着による連結であるから、仮に色が異なるものが用意されているとすれば着脱交換することは可能である（特許文献４参照）。
【０００５】
この種の組立額縁は多くの先行技術が知られており、前述のような磁気吸着によるフレームの装着だけでなく、粘着材によりフレームを貼着するものや、嵌合構造によるフレームを装着するものなどが提案されている。また、フレームを取り替え可能とした額縁の一種として、写真等を覆う透明シートの四周に額縁を貼着し、これを着脱可能とした透明シートが知られている（特許文献５参照）。この従来技術では、写真等を覆う透明シートの周囲に額縁材を貼り付けることができるように構成されているので、貼着する額縁材を交換することにより、外装の変更が自在であるとしている。
【０００６】
また、油絵額縁のようにカンバスを収容する額縁では、展示物であるカンバスの画面が平面性を保っているが、１枚の紙である写真や水彩画、版画などでは、それらが展示窓部位に押し付けられた状態にないと、充分な平面性を保つことができない。また、展示物は垂直方向に長期にわたって配置されるため、周囲を粘着テープ等によって確実に固定されていないと位置ずれや歪みが発生する。特に、薄い和紙に描かれた書、水墨画、版画や、水によって紙に伸縮が生じやすい水彩画などでは、平面性を維持し、位置ずれを防止するには、額縁の背面を閉じる裏板から展示窓方向に押圧を加える必要がある。しかしながら、額縁の多くは裏板の固定位置が一定であるため、裏板と展示物との間に空間が生じる場合には、その空間を埋める詰め物を配する必要があった。裏板あるいは裏板の固定具に付勢手段を設けて展示物を押圧する裏板構造が知られているが、裏板と展示物との間に生じた空間が僅少である場合にしか効果がない。これらの課題を解決すべく、裏板と展示物との間に生じた空間を埋めるように裏板の固定位置を変化させ得る裏板の固定具が提案されている（特許文献６参照）。
【特許文献１】実登第３０３２０１３号公報
【特許文献２】実登第３０４３５０３号公報
【特許文献３】特開２００２−１４２９３７号公報
【特許文献４】実開平０６−０１９６２９号公報
【特許文献５】特開２００１−０８０２５４号公報
【特許文献６】特開２０００−２６２３７０号公報
【発明の開示】
【発明が解決しようとする課題】
【０００７】
上記従来技術において、フレームの表面に装着された装飾プレートを着脱交換する各構成は、主には油絵額縁のようにフレーム幅が広い重厚な額縁であれば、前記装飾プレートを装着するスペースを得ることができるが、写真や水彩画などにはシンプル構造の額縁が適しており、それらは一般的にフレーム幅が狭いため、装飾プレートを装着するスペースを設けることは困難である。また、装飾プレートを交換しても、その周囲にあるフレームの色や形はそのまま残っているため、根本的に色や柄を変えることにはならず、フレーム表面で色が異なる渾然とした状態になりやすく、シンプル構造の額縁としてのイメージが低下する恐れがある。
【０００８】
また、フレームを着脱可能とした額縁は、組立額縁に多く見られる構造であって、展示物を額縁内に収容するとき組み立て、展示物を取り出すときには額縁を分解するので、フレームを交換するには額縁をその都度組み立てなおす必要があり実用的ではない。また、額縁材を着脱交換できる透明シートは、展示物にマッチするように額縁材を交換することができるものの、あまりに簡易であるため重厚感がなく、大きいサイズの写真やスケッチ等には不向きで、写真等のファイルシートに額縁の枠となる額縁材を貼着するものに過ぎない。
【０００９】
また、従来技術に係る裏板の固定具は、額縁枠に裏板の固定位置を調節する金具を設けているので、額縁枠が大型で充分な剛性を有するものでなければならず、主にはカンバスを収容する油絵額縁に適したものであって、写真やスケッチ等を収容するシンプル構造の額縁には適用し難いものである。
【００１０】
本発明が目的とするところは、展示物の色調や絵柄などに応じてフレームを交換して展示物にマッチする外観に調整し、展示物を所定位置に平面性を保って保持できるようにした額縁及び額縁の裏板を提供することにある。
【課題を解決するための手段】
【００１１】
上記目的を達成するための本願第１発明に係る額縁は、少なくとも正面部を透明樹脂面として背面開放の函状に形成された額装体と、この額装体内に収容した展示物他の収容物を前記正面部側に押圧して収容物の厚さに対応する任意深さ位置で額装体内に固定される裏板とを備えてなることを特徴とする。本構成によれば、額装体は函状に形成されているので、展示物やマット台紙等を収容保護するケースとなり、透明な正面部は展示物の展示窓を形成する。この額装体の内部に展示物やマット台紙等の収容物を配し、背面開放部から裏板を額装体内に入れて収容物を正面側に押圧して収容物の厚さに対応する位置で裏板を固定すると、展示物は額装体の正面部内側に押し付けられた状態になるので、展示物は浮きや歪みのない平面性を保って展示される。この額縁構造は写真フレームのような小型のものからポスター等を展示するような大型のものまで対応でき、任意色で任意開口径に窓を形成したマット台紙を配し、窓から露出するように写真や絵等の展示物を配すると、前記マット台紙はフレームに類似する枠体として作用し、写真等の展示に好適な形態が得られる。
【００１２】
また、本願第２発明に係る額縁は、少なくとも正面部を透明樹脂面として背面開放の函状に形成された額装体と、この額装体のサイズ毎に用意された複数種類の枠体と、選択された１種類の枠体を額装体の少なくとも正面部周縁の外側に着脱交換可能に装着する連結手段と、額装体内に収容した展示物他の収容物を前記正面部側に押圧して収容物の厚さに対応する任意深さ位置で額装体内に固定される裏板とを備えてなることを特徴とする。本構成によれば、透明樹脂により函状に形成された額装体は、展示物やそれを装飾するマット台紙等を収容する筺体を構成すると同時に、展示物の表面を被覆保護する展示窓を構成する。この額装体の少なくとも正面部周縁の外側に、色、柄、形、材質などが異なる複数種類の枠体の中から選択した１種類の枠体を連結手段によって装着することにより、枠体は額縁枠として展示物を引き立てるように機能し、複数種類の枠体を展示物にマッチするように交換することにより、展示物が引き立つ額縁に仕上げることができる。
【００１３】
上記構成において、枠体は複数分割され、額装体に装着することにより一体化されるように構成するのが好適で、１つの額装体に対して複数種類の枠体を１組の額縁として構成し、展示物に応じて枠体を交換できる額縁としたとき、複数種類の枠体を１つの額装体にセットした包装体積を小さく形成することができ、在庫、販売時の省スペース化に有効である。
【００１４】
また、連結手段は、枠体を額装体に連結する額装体連結手段と、複数分割された枠体をそれぞれの端部間の衝き合わせ部分を連結する枠体間連結手段とを備えて構成することが好適で、枠体を額装体連結手段により額装体に連結すると共に、枠体を複数分割したときには、枠体間連結手段により枠体同士を互いの端部で連結することにより、衝き合わせ部分に隙間が生じない連結が可能になる。
【００１５】
また、本願第３発明に係る額縁は、少なくとも正面部を透明樹脂面として背面開放の函状に形成された額装体と、この額装体の少なくとも正面部周縁の内側に沿うように着脱交換可能に装着される複数種類の枠体と、額装体内に収容した展示物他の収容物を前記正面部側に押圧して収容物の厚さに対応する任意深さ位置で額装体内に固定される裏板とを備えてなることを特徴とする。本構成によれば、額装体の正面部周縁の内部に任意色又は柄の枠体を装着することにより、透明な正面部を透して枠体が見えるので、枠体の色又は柄が透かし見える額縁枠が形成される。枠体は色又は柄が異なる複数種類のものを展示物の絵柄や色調などに応じて交換することにより、展示物にマッチした額縁に仕上げることができる。枠体は額装体の内側に装着するので、薄いシート状のものであってもよく、額縁を軽量で安価に構成することができる。
【００１６】
上記構成において、額装体正面部の周縁に正面側に膨出するように任意断面形状の膨出部が形成され、少なくとも前記膨出部の内側に沿うように枠体を着脱交換可能に装着することにより、膨出部はその内部に装着された枠体の色又は柄が透かし見えるので、膨出形状と相まって額装体の正面部周縁に額縁枠が形成される。また、膨出部の形成は額装体の強度を向上させるにも有効である。
【００１７】
上記第２及び第３の各発明の各構成において、１つの額装体及び裏板と、複数種類の枠体とを１セットとする販売形態に構成することが好適であり、購入したユーザは展示物にマッチする枠体を選んで額縁枠を好みの意匠に形成することができる。
【００１８】
また、額装体は、正面部及び側面部を透明樹脂により一体成形することが好適であり、樹脂成形により量産しやすく、正面部の四周に側面部が形成されていることにより全体強度が向上し、正面部の平面性を確保しやすくなる。
【００１９】
また、裏板に展示物を背面から光照射する透過照明手段を設けて構成すると、展示物を透過光写真フィルムとした場合に、透過照明手段からの照明光によりポジフィルムをそのまま拡大したような画像演出が可能となり、特に光をモチーフとした作品展示に好適な展示状態が得られる。透過照明手段は任意にオン／オフ操作できるようにすると、展示物が透過光フィルムである場合と通常の展示物である場合とで兼用できる。
【００２０】
また、本願第４発明は、展示物を収容する額装体の背面開放部を閉じる額縁の裏板であって、前記背面開放部から額装体内に挿入され、縁部複数位置に設けた係止体を前記額装体の内周部に係止させて前記裏板を額装体内の任意深さ位置に固定することを特徴とする。本構成によれば、裏板に設けた係止体を複数位置で額装体に係止させることにより、裏板は額装体の裏面開放部を閉じて固定することができる。裏板の固定位置は裏板で額装体内に収容した展示物他の収容物を正面側に押圧した状態となる深さ位置とすることができるので、収容物の厚さが変化しても任意の高さで固定することができる。従って、裏板の押圧によって展示物の平面性を保って展示することを厚さ調節のための詰め物を配することなく実施することができる。
【００２１】
上記構成において、係止体をその先端部を板状材の縁部より外側に進出させ、進出位置から後退させる進退移動手段を設けることにより、係止体の進出移動により裏板を額装体に固定し、係止体の後退移動により裏板の固定を開放する操作を簡単に行うことができ、裏板の着脱が容易となる。
【００２２】
また、裏板は額装体内に嵌り合う半殻体に形成することが好適で、半殻体の立ち上がり面に係止体や進退移動手段を設けることができ、額装体に対する嵌合状態も安定させることができ、薄い材厚でも所要の強度が得られる。
【発明の効果】
【００２３】
本発明に係る額縁は、函状に形成された額装体に展示物をその平面性を保って封止できるので、展示物の汚れや損傷を防止することができ、写真のように光や紫外線で画像劣化しやすい展示物の経年劣化を防止するのに有効である。この額装体の周縁部に枠体を着脱交換可能に設けると、展示物にマッチする色や柄などに交換して展示物を引き立てることができる。複数種類の枠体を１つの額装体にセットした販売形態に構成すると、ユーザは１つの額縁の枠体を展示物の絵柄や色調に応じて、それにマッチするように仕上げることができる。
【００２４】
また、本発明に係る額縁の裏板によれば、裏板は額装体の厚さ方向の任意深さ位置に固定することができるので、額装体内に収容した展示物やその他の収容物を額装体の正面部側に押圧した状態にして額装体の裏面を閉じることができ、展示物のカールやシワを矯正して平面性のよい展示が可能である。また、収容物の厚さに応じて固定位置を変更することができるので、収容物の厚さ変化に応じて詰め物の厚さを調整することなく、裏板だけで収容物を安定して所定位置に保持することができる。
【発明を実施するための最良の形態】
【００２５】
図１は、第１の実施形態に係る額縁１の構成を示すものである。図示するように額縁１は、透明樹脂により深さの小さい背面開放の矩形函状に成形された額装体５と、その背面開放部を閉じる裏板１４とを備えて構成されている。額装体５は、ここでは図示するように正面部５ａと側面部５ｃとを透明樹脂により一体に形成した一体構造としているが、図２（ｂ）に断面図として示すように、矩形環状に形成した側面部５ｃに透明樹脂板を配し、これを正面部５ａとする分割構造に形成することもできる。この函状に形成された額装体５内に、写真や書画などの展示物が収容されて背面開放部は裏板１４で閉じられるので、展示物は汚れや損傷を受けることなく透明な正面部５ａから展示され、正面部５ａの透明樹脂をＵＶカット仕様とすることにより写真など外来光により劣化しやすい展示物を保護することができ、塵埃や昆虫等の侵入を防ぐことができる。即ち、額装体５と裏板１４とにより額縁１としての最小限の機能が得られる。
【００２６】
図２（ａ）に断面図として示すように、額装体５内にマット台紙（枠体）１３と展示物Ｐとを配し、額装体５の背面開放部を裏板１４によって閉じると、展示物Ｐは図３（ａ）に示すような展示態様に額装される。このように額装体５内にマット台紙６を配して展示物Ｐを収容すると、マット台紙６は額縁の枠体となると同時に展示物Ｐの絵柄に広がりなどの効果を与えることができる。マット台紙１３は、その色又は柄、開口面積を任意に選択して交換することができるので、展示物Ｐの絵柄や色調に応じて交換し、展示物Ｐが引き立つように調整することができる。図２（ｂ）に示すように、マット台紙６を配することなく、額装体５の正面部５ａ内いっぱいのサイズに展示物Ｐを収容すると、図３（ｂ）に示すように、写真パネルのような展示態様が得られる。
【００２７】
図２（ａ）（ｂ）に示すように、裏板１４はマット台紙１３と展示物Ｐとを平面に仕上げられた額装体５の正面部５ａの内側に押し付けるようにして額装体５の背面開放部を閉じることができる。このように裏板１４により展示物Ｐやマット台紙１３を押圧して額装体５の背面開放部を閉じることにより、展示物Ｐにカール等のクセやシワなどが生じている場合でも、それを矯正して平面性のよい展示が可能となる。マット台紙１３を介して展示物Ｐを額装する場合と、マット台紙１３を用いないで展示物Ｐだけを額装体５に収容する場合とでは、額装体５内への収容物の厚さが変化するが、展示物Ｐが紙１枚だけであっても裏板１４は自由な深さ位置で固定できるので、展示物Ｐを裏板１４によって額装体５の正面部５ａの裏面に押圧し、平面性を保った展示が可能である。この裏板１４の固定構造についての詳細は後述する。
【００２８】
前記額装体５の少なくとも正面部５ａを形成する透明樹脂はメタクリル樹脂が好適で、透明性に優れ、耐候性に優れているので、展示性及び展示物保護に有効である。図示するように額装体５を函状に形成すると、板厚を薄くしても所要の強度を得ることができ、正面部５ａの平面性を確保するにも有効である。また、函状の容器として展示物Ｐの保護に有効であり、裏板１４により背面開放部を閉じるので、塵埃や昆虫等の侵入を防ぐことができる。この額装体５は、図２（ｂ）に示したように、矩形環状に形成した側面部５ｃに透明樹脂板で形成した正面部５ａを配した構造とすることもでき、側面部５ｃは樹脂製でなく金属製とすることもでき、側面部５ｃと正面部５ａとの色又は材質が異なる意匠変化を得ることができる。
【００２９】
また、図４に示すように、額装体５の正面部５ａの周囲をマット台紙１３の厚さに相当する高さでマット台紙１３の枠幅に対応する幅で正面側に向けて突出し、裏面にマット台紙１３を収容することができる枠状の凹部を形成した枠部５ｂを設けると、展示物Ｐの表面を額装体５の正面部５ａの裏面に密着させた展示態様を得ることができる。展示物Ｐは裏板１４により押圧されたとき、マット台紙１３によって浮きを生じることなく額装体５の正面部５ａに押し付けられるので、展示物Ｐをより平面性を保って展示することが可能となり、展示面である正面部５ａとの間に隙間が生じないので、透明体を通して展示物Ｐをより鮮明に見ることができる展示態様が得られる。また、正面側に突出した枠部５ｂは、その内部にマット台紙１３を収容していることもあって、額縁枠としての作用がより鮮明になる効果が得られる。
【００３０】
図５は、第２の実施形態に係る額縁２の構成を示すものである。額装体１１は、透明樹脂によって正面部５ａの周縁に任意幅、任意高さで正面側に膨出するように膨出部１１ｂを設け、背面側を開放した函状に成形されている。この額装体１１の内側に、膨出部１１ｂの内側と額装体１１の側面部１１ｃとを被覆してフレーム（枠体）１２を着脱交換可能に装着することができる。額装体１１の正面となる正面部１１ａは、展示物Ｐを保護して汚れや損傷を防ぎ、外来光により画像劣化しやすい写真などの展示物Ｐの経年劣化を防止する展示窓を構成している。フレーム１２は１つの額装体１１に対して複数の色又は柄のものが用意され、展示物Ｐの絵柄や色調などにマッチするものに交換することができる。本構成においては、フレーム１２は額装体１１の内側に装着するので、フレーム１２はユーザが好みの紙や布地等の素材を用いることもでき、ユーザの創意工夫で展示物Ｐにマッチする展示態様に仕上げることも可能である。
【００３１】
図６は、前記額装体１１内に前記フレーム１２を装着し、マット台紙１３を配して、その開口部から展示物Ｐが見えるように収容し、額装体１１の背面開放部を裏板１４で閉じた状態を断面図として示している。図示するように、額装体１１は、中央の大部分を占め展示窓となる正面部１１ａを囲むように周縁部を正面側に膨出させた膨出部１１ｂを形成した函状に成形されている。前記膨出部１１ｂの断面形状は、図６（ａ）に示すような矩形状、図６（ｂ）に示すような半円状、図６（ｃ）に示すような三角状など自在に形成することができ、フレーム１２は膨出部１１ｂの内形状に対応する形状に形成される。また、図６（ｄ）に示すように、膨出部１１ｂの形状や幅、高さは任意であり、樹脂成形により油絵額縁のような彫刻風の仕上がりに構成することも可能である。
【００３２】
フレーム１２の色は多くの場合、白や灰色、黒などのモノトーンが好適であり、フレーム１２の柄は、銀色などの金属調、木目模様、繊維模様などを自由に選択することができる。また、フレーム１２は額装体１１の内側に装着されるので、シート状の素材であっても外観上で違和感を与えることがなく、フレーム１２の色や柄を多様に準備し、額縁１の軽量化や低コスト化を図るのに有効である。また、フレーム１２によって額装体１１の側面を被覆することにより、側面部１１ｃも透明樹脂で形成した場合に額装体１１の側面から収容物が見えないようにする効果もある。
【００３３】
写真やスケッチ等の展示物Ｐを額縁２内に収容するとき、額装体１１の内径いっぱいのサイズのものを収めることも可能であるが、多くの場合、展示物Ｐの周囲に、それにマッチする色や柄のマット台紙１３を配置するのが好適である。マット台紙１３は、展示物Ｐの絵柄が風景であるような場合にはサイズ以上に広がりがあるように見せたり、展示物Ｐを引き立てたり立体的にみせたりする効果があるので、額縁１は展示物Ｐの実際サイズより大きなサイズとしてマット台紙１３が収容できるものとすることが好ましい。図７（ａ）は、額装体１１にフレーム１２を装着し、マット台紙１３を介して展示物Ｐを収容した展示状態を示すもので、風景写真等の展示に好適な状態が得られる。また、図７（ｂ）は、マット台紙１３を用いることなく、フレーム１２を装着し、展示物Ｐだけを額装体１１内に収容した展示状態を示すものであるが、フレーム１２を装着した膨出部１１ｂにより額縁枠としての効果が得られ、展示物Ｐを引き立てた展示状態となる。
【００３４】
額装体１１に収容した展示物Ｐやマット台紙１３は、それらが額装体１１の正面部１１ａの内側に密着するように裏板１４により押圧された状態で所定位置に固定される。従来額縁では裏板１４は背面開放部を一定位置で固定しているので、展示物Ｐ他を額装体１１内に収容して空間が生じる場合には、空間を埋める板材等のスペーサを配して展示物Ｐ他が正面ガラスから浮いた状態になったり、位置ずれしたりしないようにしている。本構成においては、裏板１４を展示物Ｐなどの額装体１１内への収容物の厚さ変化に応じて固定位置が変更できるので、空間を埋めるスペーサを配することなく展示物Ｐを額装体１１の正面部１１ａの内側に押し付けた状態に収容することができる。この固定位置変更可能な裏板１４の固定構造の詳細については後述する。
【００３５】
上記第２の実施形態の構成においては、額装体１１の正面部１１ａの周縁に膨出部１１ｂを形成しているが、膨出部１１ｂを設けることなく、第１の実施形態で示したように、正面部１１ａを全面にわたって平らに形成してもよい。正面部１１ａが平らであっても、その内側にフレーム１２を装着すると、透明な正面部１１ａからフレーム１２の色又は柄が透かし見えるので、正面部１１ａの周縁に額縁枠が形成された状態が得られる。この場合のフレーム１２は、第１の実施形態に示したように、マット台紙１３の幅を適宜に調整することにより、マット台紙１３をフレーム状に形成することができる。
【００３６】
上記構成になる額縁２は、図８に示すように、１つの額装体１１に対して、複数の色又は柄のフレーム１２と、複数の色又は柄のマット台紙１３と、裏板１４とを１組の額縁セットにして販売するのが好適である。これを購入したユーザは、展示する写真やスケッチなどにマッチし、展示する場所にマッチするフレーム１２及びマット台紙１３を選んで額装体１１に装着することで、見栄えのする作品展示を行うことができる。この額縁２を販売態様に梱包するときには、額装体１１の中にフレーム１２やマット台紙１３、裏板１４を収容できるようにすると、梱包体積はほぼ額装体１１の体積となり、在庫や販売時における省スペース化を図ることができる。
【００３７】
フレーム１２は、額装体１１の内側に収まる矩形環状体に形成することもできるが、図５に示したように、複数色又は柄のフレーム１２をセットした場合に、販売品が徒に嵩高くなることによる包装材や保管の無駄をなくすため、額装体１１の辺毎に４分割し、額装体１１に装着することにより、コーナー部分で衝き合わせた状態に一体化されるように形成するのが好適である。このようにフレーム１２を分割したものとすると、複数組のフレーム１２を額装体１１の中に収めて販売できるので、販売形態のサイズは額装体１１の大きさにすることができ、包装材の使用量を削減し、在庫保管や店舗陳列における占有面積を削減することができる。前述したように、本実施形態構成においては、フレーム１２は額装体１１の内部に装着されるので、シート状材料を所定断面形状になるように成形したものを用いても額縁１としての外観上で違和感を与えることはなく、より多くの種類のフレーム１２を添付して多様な展示態様に仕上ることを可能とする。
【００３８】
図９は、第３の実施形態に係る額縁３の構成を示すもので、本構成では額装体２１の周縁部外側に、額装体２１の四辺毎に分割したフレーム（枠体）２２ａ，２２ｂ，２２ｃ，２２ｄを着脱交換可能に装着できるように構成している。図１０（ａ）に断面図として示すように、フレーム２２ａ〜２２ｄは正面部側の枠幅が広いものや、図１０（ｂ）に示すように、枠幅が狭いもの、色あるいは柄の異なるものなど、展示物Ｐにマッチするものを選択し、展示物Ｐを交換した際に着脱交換することができる。この構成では、額装体２１の外側にフレーム２２ａ〜２２ｄを装着するので、従来額縁と同等の外観に仕上げることができる。従来額縁と異なるのは、フレーム２２ａ〜２２ｄの色、柄、形状などを展示物Ｐにマッチするものに交換できることである。この構成の場合も、１つの額装体２１及び裏板１４に対して複数種類のフレーム２２ａ〜２２ｄを添付した商品形態が望ましいものとなる。
【００３９】
フレーム２２ａ〜２２ｄを額装体２１に着脱交換可能に固定するための構造は様々に構成することができるが、ここでは最も簡易で低コストな連結手段として磁気吸着を適用している。図示するように額装体２１の側面部２１ｃの複数箇所には薄板状に形成した磁石（額装体連結手段）２５が貼着され、フレーム２２ａ〜２２ｄの内側には薄い鉄系金属板２４（メッキ鋼板やステンレス板など）が貼着されている。この構成により、フレーム２２ａ〜２２ｄを磁気吸着により額装体２１に装着することができ、離脱させるときには、フレーム２２ａ〜２２ｄの正面部側を外側に開くようにする。この磁石２５及び鉄系金属板２４の配設は、額装体２１の側に鉄系金属板２４、フレーム２２ａ〜２２ｄの側に磁石２５を設けてもよい。
【００４０】
このようにフレーム２２ａ〜２２ｄを複数分割した場合、額装体２１に装着した際に各フレーム２２ａ〜２２ｄが互いに衝き合わされるコーナー部分に隙間が生じると見栄えの悪い状態になる。その対策として、各フレーム２２ａ〜２２ｄの端部に衝き合わせ間で互いに磁気吸着力が生じるように枠体連結手段を設けるのが好適である。枠体連結手段は、各フレーム２２ａ〜２２ｄの端部の一方に磁石を設け、他方の鉄系金属板２４を吸着する構造、あるいは各フレーム２２ａ〜２２ｄの端部に衝き合わせ間で互いに磁気吸着力が生じるように、対向間で対極となるように枠体連結磁石を設けた構造を採用することにより、複数分割されたフレーム２２ａ〜２２ｄのコーナー部分に隙間が生じない連結が可能となる。尚、フレーム２２ａ〜２２ｄは分割することなく、枠状に一体形成したものであってもよい。
【００４１】
図１１は、額装体２１に対してフレーム２２を着脱交換可能に固定する構造の別態様を示すもので、連結手段として嵌合構造を適用している。図示するように額装体２１の側面部２１ｃに嵌合受部２６を設け、フレーム２２ａ〜２２ｄに嵌合凸部２７を設け、嵌合凸部２７を嵌合受部２６に嵌挿することにより、フレーム２２ａ〜２２ｄを額装体２１に装着できるように構成している。この構成においても、展示する展示物Ｐを交換した際に、新たな展示物Ｐにマッチする色又は柄のフレーム２２ａ〜２２ｄに交換することができる。
【００４２】
図１２は、第３の実施形態の構成により額装体２１にフレーム２２ａ〜２２ｄを装着して完成させた額縁３の外観例を示すもので、額装体２１内にマット台紙１３を介して展示物Ｐを収容し、背面開放部を裏板１４で閉じた状態として示しており、従来額縁と同等の外観が得られる。本構成の場合も、フレーム２２ａ〜２２ｄの断面形状やその幅や高さは任意に設定することができ、表面に金属メッキや木目模様などを施すことによって、着脱交換により色の変化だけでなくより多様な変化態様を得ることができる。
【００４３】
以上説明した額縁１，２，３において、額装体５，１１，２１の背面開放部を閉じる裏板１４は、図１３〜図１６に示すように、収容物の厚さに応じて固定位置を変化できる裏板固定構造として構成することが好適である。額装体５，１１，２１内への収容物は、通常は１枚の展示物Ｐと１枚のマット台紙１３であるが、前述したように展示物Ｐだけの場合もあり、また、それらの厚さは様々であり、交換用の展示物Ｐやマット台紙１３を額装体５，１１，２１内に保管するような場合では複数枚の展示物Ｐやマット台紙１３を収容することになり、収容物としての厚さに変化が生じる。一般に額縁裏板の固定位置は一定位置であるため、収容物の厚さが変化すると、展示物Ｐに浮きや位置ずれが生じたり、裏板固定がし難くなったりする場合がある。そこで、収容物の厚さ変化に応じて裏板１４の固定位置を変更できるようにすると、常に展示物Ｐを額装体５，１１，２１の正面側に押し付けた状態にして展示できるので、展示物Ｐの平面性を保ち浮きや位置ずれが生じない展示が可能となる。
【００４４】
尚、以下の説明では、第１の実施形態として示した額縁１を構成する額装体５の背面開放部を閉じる裏板１４として説明するが、額縁２，３の場合も同様に構成することができる。また、この裏板固定構造は、従来額縁に適用しても同様の効果を得ることができる。
【００４５】
図１３に示すように、半殻体に形成された裏板１４の４隅に係止体３３を配し、この係止体３３を進退移動させる進退移動手段３２が設けられている。係止体３３の先端部分は、額装体５のコーナー部分の内面形状に対応する形状に形成されており、裏板１４を額装体５内に配した状態で進退移動手段３２を構成するレバー３４の操作によって係止体３３を外方に進出移動させると、係止体３３は額装体５のコーナー部分に圧接する。この作業は、額装体５の中に、マット台紙１３、展示物Ｐ，その他の収容物の順に収め、その上に裏板１４を置き、それらを額装体５の正面部５ａ側に押圧した状態で４箇所のレバー３４を操作すると、各係止体３３が外方に進出移動し、それぞれ額装体５のコーナー部分に圧接するので、裏板１４は収容物を押圧した状態で額装体５内に固定される。
【００４６】
ここでは、裏板１４は半殻体に形成し、半殻体の内部に進退移動手段３２を配設し、それらが裏板１４より外側に突出しないようにしているが、裏板１４を額装体５に装着したとき、進退移動手段３２の構成要素が額装体５の中に収まる状態にあれば、裏板１４は平らな板材であっても構わない。このように裏板１４を半殻体に形成し、外周面に額装体５の内周面に接する緩衝部材を設けておくと、裏板１４を額装体５に固定したとき、額装体５の内部を封止した状態にしやすく、内部に塵埃や昆虫が侵入しない展示環境を保つことができる。また、裏板１４を半殻体に形成することにより、薄い材厚であっても所要の強度を得ることができる。
【００４７】
また、係止体３３による加圧係止位置を額装体５のコーナー部分としているが、額装体５の各辺部分を加圧すると加圧により変形が生じやすく、係止状態が徐々に緩んでくる恐れがあり、額装体５を変形させる恐れもあるので、係止体３３の加圧係止位置はコーナー部分が好ましい。従来額縁のように材厚の大きい木製額縁などのように剛性が充分にあり、コーナー部分が構成材の継ぎ合わせ部分になっている場合では、各辺部分を加圧係止部位とすることができる。
【００４８】
ここでは樹脂製の額装体５の平滑面に裏板１４を係止させることを目的としているため、係止体３３は摩擦係止できるように合成ゴム等の弾性体を適用することが好適である。弾性体を係止体３３に適用すると、額装体５に圧接させたとき弾性変形して密着するので、摩擦係数を大きくして裏板１４を位置固定することができ、各部の寸法誤差や温度変化による膨張収縮等を弾性変形により吸収することができる。ここでは額装体５は樹脂であるが、従来額縁に本裏板固定構造を適用する場合には、係止する壁面の材質に応じて係止体３３の材質や形状を変更する。例えば、一般に多い木製額縁の場合では、係止先端に微小凹凸を形成した金属製あるいは樹脂製の係止体３３とし、係止先端の微小凹凸部分を木材表面に食い込ませて係止するようにすると、充分な位置固定状態が得られる。
【００４９】
図１４は、係止体３３を進退移動させる進退移動手段３２の構成例を示すもので、ここではレバー３４を裏板１４の面から起こす操作により係止体３３を後退移動させ、レバー３４を裏板１４の面上に倒す操作により係止体３３が進出移動するように構成している。このように係止体３３を進退移動させる構成は、図１５に示すような簡易な構造とすることもできる。
【００５０】
図１５において、半殻体に形成された裏板１４の各角部には、立ち上がり面を４５度に角度変化させた固定部材取付面３５が形成されており、この固定部材取付面３５に形成した開口部に進退軸３９を貫通させ、進退軸３９の先端に係止体３３を固定した進退移動手段４０が装着されている。前記進退軸３９をバネ３６の付勢に抗して押圧し、係止体３３が額装体５のコーナー部分に圧接した状態にして、進退軸３９にその径を縮小するように形成された溝部にロック部材３７を嵌挿させると、係止体３３の額装体５への圧接状態がロックされるので、この操作を裏板１４の４隅で同様に行うと、裏板１４は額装体５に固定される。ロック部材３７を溝部から引き出すと、バネ３６によって裏板１４の内側方向に付勢された進退軸３９は後退移動して係止体３３は額装体５に対する圧接状態から開放されるので、この操作を裏板１４の４隅で同様に行うと、裏板１４は額装体５から取り外すことができる。
【００５１】
上記裏板固定構造においては、係止体３３の進退移動操作を４つのコーナー部分で個別に行うように構成しているが、中央の１箇所からの操作で４つのコーナー部分に対して係止体３３を均等に進退移動させるように構成することもできる。図１６に示すように、中央の回転ノブ４５を回転させることにより、４つのコーナー部分に向けてそれぞれ配設された進退軸４６を進退移動させる。各進退軸４６の先端には、それぞれ係止体３３が固定されており、進出移動により額装体５のコーナー部分の内側に圧接する。各進退軸４６を進退駆動する機構は、図１６（ｂ）に示すようなカム機構の他、クランク機構、ラックピニオン機構、リンク機構などを適用することができる。このように１箇所の操作で裏板１４の着脱を可能にすることにより、ポスター展示のように頻繁に展示物Ｐを入れ替える必要がある場合や、数多くの作業を行う場合などにおいて、作業効率を格段に向上させることができる。
【００５２】
以上説明した額縁１，２，３の構成において、マット台紙１３はユーザが好みの素材を用いて配置することができる。カラーペーパーや色布、柄布、皮革、印刷物、木材薄板などマット台紙１３として採用できる素材は多彩に存在するので、展示物Ｐの種類や色調などに応じてユーザの創意工夫を生かすこともできる。このように任意素材をマット台紙１３として用いる場合に、その厚さが変化するので、上述したように裏板１４の固定位置を変更できる裏板固定構造が有効となる。また、展示物Ｐはカールや変形が生じていることが少なくないが、裏板１４によって額装体５，１１，２１の正面側に押圧されるので、展示物Ｐのカールや変形は矯正され、浮きや歪みのない展示が可能となる。
【００５３】
写真は言うまでもなく光に基づく画像である。そのため展示する際の照明によって写真は一段と引き立つものである。特に、撮影時の光を再現するように背後からの透過光で写真を展示すると、光をモチーフとした写真の見栄えを一層引き立てることができる。本構成になる裏板１４は常に展示物Ｐに密着し、半殻体に構成されているので、展示物Ｐに透過照明を与える透過照明手段を設けるのに好適である。通常の展示物Ｐでは透過光を与えると、紙の繊維やインク等が濁りとして画像の品質を低下させてしまうが、透過照明で見ることを目的とし、プリンタによって写真を印刷することができるシート（バックプリントフィルムなど）が市販されているので、図１７に断面図として示すように、裏板１４に透過照明手段５０を設けると、裏板１４の展示物Ｐ（この場合は透過照明写真Ｐ２）に接する正面側の乳白色面にはバックライト部５１が形成され、この裏板１４を額縁１〜３に適用すると、図１８に示すような透過照明写真Ｐ２を展示する透過照明額縁に構成することができる。
【００５４】
フレーム１２の形状は任意であるが、透過光が散乱しないように図示するようなマット台紙状の形状が好ましいものとなる。透過照明手段５０は、液晶ディスプレイのバックライトとして小は携帯電話機から大は大型テレビに至るまで薄型で高性能なものが実用化されており、ＬＥＤやＥＬを発光素子とするバックライト装置であれば、裏板１４の薄い収容スペース内に配設することができ、額縁１〜３は透過照明写真の展示も可能に構成することができる。
【産業上の利用可能性】
【００５５】
以上の説明の通り本発明に係る額縁によれば、写真やスケッチ、版画等の展示に適した額縁を提供することができるので、カメラのデジタル化が進展して誰でも簡単に大きなサイズの写真を作成できる写真活用の場を広げることができる。また、従来の額縁では、サイズ毎にフレームの色や形状などが異なることにより多品種を用意する必要があり、製造、在庫、販売の各段階における管理が煩雑で、ユーザも選択に苦慮する商品であったが、展示物のサイズに対応できる品種を用意すればよいので、在庫や販売の管理は格段に改善される。デジタル写真に限定すれば、一般に市販されているプリンタ用紙のサイズは５種類程度なので、５サイズ即ち５品種の額縁を用意すれば、それをベースにしてユーザは多様に意匠変化させた独自の額縁に仕上げることが可能であり、製造販売者、ユーザが共に受け入れやすい額縁を提供することができる。
【００５６】
また、本発明に係る額縁の裏板固定構造によれば、額装体の背面開放部を閉じる裏板は任意高さ位置で固定できるので、額装体内に収容した展示物その他の収容物の厚さに対応させ、展示物を額装体の正面展示窓側に押し付けるようにして額装体の背面開放部を閉じることができる。従って、額装体内への収容物の厚さが変化しても展示物は常に平面性を保って展示され、皺やカールが生じていても押圧により矯正される。この裏板固定構造は、多くの額縁の裏板として適用することができ、収容物の厚さの異なりを調整するために詰め物などを入れることなく、展示物の平面性を保った展示を簡単に行い得る構造を提供することができる。
【図面の簡単な説明】
【００５７】
【図１】第１の実施形態に係る額縁の構成を示す斜視図。
【図２】同上額縁による額装状態を示す断面図。
【図３】同上額縁を用いた展示形態の変化を示す斜視図。
【図４】同上額縁の変形例構造を示す断面図。
【図５】第２の実施形態に係る額縁の構成を示す斜視図。
【図６】同上額縁の額装状態及び膨出部の変形例を示す断面図。
【図７】同上額縁を使用した展示状態２例を示す斜視図。
【図８】同上額縁を販売する構成要素の例を示す斜視図。
【図９】第３の実施形態に係る額縁の構成を示す斜視図。
【図１０】同上額縁におけるフレームの形状例を示す断面図。
【図１１】同上額縁における着脱交換構造の別態様を示す斜視図。
【図１２】同上額縁を用いた額装例を示す斜視図。
【図１３】裏板の固定構造を示す斜視図。
【図１４】係止体の進退移動構造を示す断面図。
【図１５】裏板固定構造の別態様の構成を示す平面図。
【図１６】裏板固定構造の別態様の構成を示す平面図。
【図１７】透過照明手段を設けた裏板の構成を示す断面図。
【図１８】透過照明額縁の構成例を示す斜視図。
【符号の説明】
【００５８】
１，２，３  額縁
５，１１，２１  額装体
５ａ，１１ａ，２１ａ  正面部
１１ｂ  膨出部
１２，２２  フレーム（枠体）
１３  マット台紙（枠体）
１４  裏板
２４  鉄系金属板（連結手段）
２５  磁石（連結手段）
２６  嵌合受部（連結手段）
２７  嵌合凸部（連結手段）
３２，４０  進退移動手段
３３  係止体
５０  透過照明手段
【図１】
2008167885.tif 000003
【図２】
2008167885.tif 000004
【図３】
2008167885.tif 000005
【図４】
2008167885.tif 000006
【図５】
2008167885.tif 000007
【図６】
2008167885.tif 000008
【図７】
2008167885.tif 000009
【図８】
2008167885.tif 000010
【図９】
2008167885.tif 000011
【図１０】
2008167885.tif 000012
【図１１】
2008167885.tif 000013
【図１２】
2008167885.tif 000014
【図１３】
2008167885.tif 000015
【図１４】
2008167885.tif 000016
【図１５】
2008167885.tif 000017
【図１６】
2008167885.tif 000018
【図１７】
2008167885.tif 000019
【図１８】
2008167885.tif 000020